(57)【特許請求の範囲】
【請求項１】
立設されるブラケットの上部に左右に間隔をおいて形成された支持孔に第１軸を回転不能に挿通し、該ブラケットの支持孔間の第１軸にアームの基端の第１軸受部を回転可能に嵌合するとともに、ディスプレイ等の対象物の裏面に固着された取付金具に左右に間隔をおいて形成された支持孔に第２軸を回転不能に挿通し、該取付金具の支持孔間の第２軸にアームの先端の第２軸受部を回転可能に嵌合し、前記第１軸には大歯車を、前記第２軸には小歯車をそれぞれ嵌合固定し、前記大歯車と小歯車間には無端の歯付きベルトを巻装してなり、前記アームの基端側を下降方向に回動させたとき前記歯付きベルトを介して先端側に起立状態に保持された前記対象物がほぼ水平状態に回動変位するようにしたことを特徴とするチルト機能付きスタンド。
【請求項２】
前記ブラケットはテーブル面上に設置し得る台板上で水平面内で回転可能な回転支持手段により支持されている請求項１記載のチルト機能付きスタンド。
【発明の詳細な説明】
【０００１】
【発明の属する技術分野】
本発明は、チルト機能付きスタンドに係り、特にフラットディスプレイ（以下、ＦＤと略称する）用として最適なチルト機能付きスタンドに関する。
【０００２】
【従来の技術】
近年、オフィスにおいてパーソナルコンピュータ（以下、ＰＣと略称する）が非常な勢で普及しており、最近では家庭においても普及している。
【０００３】
しかしＰＣのディスプレイはＣＲＴが一般的であったが、これによると机上面で大きな面積を占めることが多く、ＰＣ以外の作業ができないという欠点があることから、最近では机上面を有効に使用することのできるＦＤがＣＲＴに変わって多用されるようになっている。
【０００４】
【発明が解決しようとする課題】
このＦＤは、薄型でかつ軽量であるため机上面での使用される状態も千差万別であり、状況に応じて表示面が垂直から水平に近い状態にまで頻繁に作動させながら使用されている。
【０００５】
この新しい商品であるＦＤは用途に応じた周辺装置、例えば表示面を垂直から水平に近い状態にまで作動させて適当な位置に固定させるような装置は少なく、ＦＤの普及とともにこれらの要望が大きくなりつつある。
【０００６】
【課題を解決するための手段】
本発明は、これらの要望に応えるべくＦＤチルト機能付きスタンドを提供することを課題としてなされたもので、ＦＤをほぼ垂直の画面位置から水平に近い角度の画面位置までワンタッチで変化させることができるようにし、必要時に同一画面を多くの人が同時に見られるようにしたことにある。
【０００７】
すなわち請求項１記載の発明は、立設されるブラケットの上部に左右に間隔をおいて形成された支持孔に第１軸を回転不能に挿通し、該ブラケットの支持孔間の第１軸にアームの基端の第１軸受部を回転可能に嵌合するとともに、ディスプレイ等の対象物の裏面に固着された取付金具に左右に間隔をおいて形成された支持孔に第２軸を回転不能に挿通し、該取付金具の支持孔間の第２軸にアームの先端の第２軸受部を回転可能に嵌合し、前記第１軸には大歯車を、前記第２軸には小歯車をそれぞれ嵌合固定し、前記大歯車と小歯車間には無端の歯付きベルトを巻装してなり、前記アームの基端側を下降方向に回動させたとき前記歯付きベルトを介して先端側に起立状態に保持された前記対象物がほぼ水平状態に回動変位されるようにしたことを特徴とする。
【０００８】
また請求項２は請求項１記載の発明において、前記ブラケットをテーブル面上に設置し得る台板上に水平面内で回転可能とした回転支持手段により支持するようにされていることを特徴とする。
【０００９】
【発明の実施形態】
以下、本発明を図１乃至図３に示す実施形態を参照して説明する。
【００１０】
図１は本発明にかかるチルト機能付きスタンドの構成部品の分解斜視図を示すもので、立設されたブラケット１の上部には、左右に間隔をおいて形成された一対の支持部１ａ，１ａがあってこれら支持部１ａにはそれぞれ支持孔２，２が同一軸線上に設けられている。そしてこの両支持孔２，２には第１軸３が回転不能に挿通されている。この場合、回転不能に挿通する構造は、第１軸３が長手方向に円形の一部が削落された平面部３ａを有するものとされ、支持孔２は真円でなく第１軸３の断面形状に合致する孔形状とされていることによる。
【００１１】
また該ブラケット１の支持孔２，２間の第１軸３には平板状の所定長さを有するアーム４の基端となる第１軸受部４ａが回転可能に嵌合されていてる。
【００１２】
一方、対象物としてのディスプレイ５の裏面には取付金具６が固着されており、その取付金具６には左右に間隔をおいて形成された一対の支持部６ａ，６ａがあってこれら支持部６ａにはそれぞれ支持孔７，７が同一軸線上に設けられている。
【００１３】
この両支持孔７，７には第２軸８が回転不能に挿通されている。この回転不能に挿通する構造は、前記第１軸３と支持孔２との関係と同じように第２軸８の長手方向に円形の一部が削落された平面部８ａを有しており、支持孔７は真円ではなく第２軸８の断面形状に合致する孔形状とされていることによる。
【００１４】
また該取付金具６の支持孔７，７間の第２軸８には前記アーム４の先端となる第２軸受部４ｂが回転可能に嵌合されている。
【００１５】
前記第１軸３には前記ブラケット１の外側位置に適宜歯数を有する大歯車９が、前記第２軸８には前記取付金具６の支持孔７の外側位置に大歯車９よりも歯数の少ない小歯車１０がそれぞれ嵌合固定され、前記大歯車９と小歯車１０との間には両歯車の歯に噛み合う無端の歯付きベルト１１が巻装されている。
【００１６】
そして第１軸３と大歯車９の固着は第１軸３に形成された平面部３ａに大歯車９のボス部の外側からネジ１２をネジ込んでその先端を突き当てることにより行われ、第２軸８と小歯車９の固着は同様に第２軸８に形成された平面部に小歯車１０のボス部の外側からネジ１３をネジ込んでその先端を突き当てることにより行われる。
【００１７】
また第１軸受部４ａにはアーム４を軽く持ち上げる作用をさせるための捩じりバネ１４，１４が外嵌されおり、このバネ１４の一端は前記ブラケット１の内側に、他端はアーム４にそれぞれ係止されている。
【００１８】
きらに前記取付金具６にはアーム４の先端の第２軸受部４ｂをカバーするブレーキカバー１５が設けられており、このカバー１５には外側からアーム４の作動時の重さをコントロールするためのブレーキ用ネジ１６がネジ込まれている。このブレーキ用ネジ１６はネジ棒１６ａの外端につまみ１６ｂを有し、このつまみ１６ｂを回してネジ棒１６ａの先端を第２軸受部４ｂの外周に押し付けることによりアーム４の回転を制動するようになされている。
【００１９】
図中、符号５ａはディスプレイ５の表示面、１７はブラケット１のカバーであり、１８は歯付きベルト１１を含むアームカバーである。
【００２０】
なお前記ブラケット１は、図２に示すようにテーブル面１９上に設置することができるように隅部にゴム脚２０を介して載置される台板２１の上面とブラケット１の中心が水平面内で回転可能となるようにブラケット１の底板１ｂとの間に設けたボール、ローラ等の回転子による回転支持手段２２により支持されている。そして前記ブラケット１と台板２１とは垂直の回転中心部において回転軸となるボルト等の締付け手段２３により一体化されている。
【００２１】
つぎに上記実施形態の作用を説明する。
図２に示すように通常時は前記ディスプレイ５は垂直の状態に支持されている。この状態からディスプレイ５を水平状態とするにはアーム４の先端を除々に下げるように操作すると、この操作によりアーム４は第１軸受部４ａを中心として下方に回動し、これに伴い第１軸受部４ｂが下降する。
【００２２】
このとき大歯車９はブラケット１に、小歯車１０は取付金具６にそれぞれ回転不能に固定されていて動かないが、小歯車１０は取付金具６を介してディスプレイ５とは一体であるから、アーム４に対しては自由に回動することができる。
【００２３】
このことはアーム４を下降させると両歯車９，１０の歯に噛み合う無端の歯付きベルト１１が僅かながら回動して小歯車１０を取付金具６の第２軸８の回りに回動させることになる。ここでもし大歯車９の歯数が小歯車１０の歯数の２倍の関係にあれば、第２軸８の回転角度は第１軸３の回転角度の２倍となり、これによりディスプレイ５が垂直状態から水平状態に移行する速さが歯付きベルト１１を使用しない場合に比較して加速される。符号５′はディスプレイ５が水平状態のときを示す。
【００２４】
図３はアーム４のある等角度毎の下降に対する取付金具６の第２軸８の位置の変化を順に示したもので、最終段階においては図２に示した位置と合致することになり、この実施形態の場合はアーム４が６７°回転すればディスプレイ５は垂直の状態から７５°回転してほぼ水平の状態に近くにチルトすることができることを示している。またディスプレイ５の向きを変更したい場合には回転支持手段２２により変更して任意の向きに設定することができる。さらに本発明は対象物としてディスプレイに限らず、他の対象物であっても使用することができる。
【００２５】
【発明の効果】
本発明は以上説明したように構成したから、つぎのような効果を奏する。
１）ディスプレイの場合、その面を垂直位置からほぼ水平位置まで任意の角度に設定することができるので、特に多くの人の集まる会議等において、ディスプレイ面を垂直姿勢では裏側の人は見ることができないが、水平姿勢にすることによりほぼ全員の人が同時に覗き込むことができて極めて便利である。
【００２６】
２）アーム角度はディスプレイ等の対象物の面の角度に応じた適宜角度に設定することができる。
【００２７】
３）請求項２によればブラケットはベース面に対して回転が可能なのでディスプレイ等の対象物の面を所望の向きに設定することができる。
【図面の簡単な説明】
【図１】本発明にかかるチルト機能付きスタンドの構成部品の分解斜視図。
【図２】図１の部品を組立てた状態を示す側面図。
【図３】図２のチルト作動の状態を示す側面図。
【符号の説明】
１  ブラケット
２  支持孔
３  第１軸
４  アーム
４ａ  第１軸受部
４ｂ  第２軸受部
５  ディスプレイ
６  取付金具
７  支持孔
８  第２軸
９  大歯車
１０  小歯車
１１  歯付きベルト
１９  テーブル面
２１  台板
２２  回転支持手段
【図１】
0003942702.tif 000002
【図２】
0003942702.tif 000003
【図３】
0003942702.tif 000004